(57)【要約】【解決手段】モバイルデバイスは、マルチアンテナ受信ダイバーシティを実施するために、少なくとも２つの受信機を持つ受信機ユニットを含む。制御ユニットは、基地局における合計送信電力容量のうちのモバイルのトラフィック・チャネルによる利用量を、モバイルにおいて推定する。モバイルは、電力容量利用度に基づいて、モバイルデバイスに、マルチアンテナ受信ダイバーシティを適用する。モバイルは、ネットワークがモバイルに送信している電力量を、パイロット基準に関して推定する。他のインジケータは、モバイルとネットワークとの間のトラフィック・チャネルの品質、容量制限リソース、無線システムにおけるソフトハンドオフ中のセクタ数等に基づく。これらインジケータは、モバイルデバイス中のマルチアンテナ受信ダイバーシティの利用を制御するために使用される。【選択図】      図２
2007527674.tif 000002
【特許請求の範囲】
【請求項１】
無線装置であって、
プライマリー受信機と、
前記無線装置内のマルチアンテナ受信ダイバーシティに順応された第２の受信機と、
前記第２の受信機に接続され、前記第２の受信機をイネーブル及びディセーブルするように順応されたダイバーシティ・コントローラとを備え、前記ダイバーシティ・コントローラは、
前記無線装置の容量利用度を推定する第１の推定部と、
ネットワーク容量に対する負荷を推定する第２の推定部と、
ネットワーク容量に対し推定された負荷と、前記無線装置の推定された容量利用度とに応じて、前記第２の受信機をイネーブルする制御手段とを備えた無線装置。
【請求項２】
請求項１に記載の無線装置において、
前記無線装置の推定された容量利用度は、ＥＣＴ／ＩＯＲで与えられ、ＩＯＲは、前記ネットワーク内の送信機から送信している全てのチャネルの１つのチップ当たりの合計エネルギーを表し、ＥＣＴは、トラッフィック・チャネルの１つのチップ当たりのエネルギーを表わす無線装置。
【請求項３】
請求項２に記載の無線装置において、
ネットワーク容量に対し推定された負荷はＩＯＲ／ＥＣＰで与えられ、ＩＯＲは、前記ネットワーク内の前記送信機から送信している全てのチャネルの、１つのチップ当たりの合計エネルギーを表し、ＥＣＰは、パイロット信号の１つのチップ当たりのエネルギーを表わす無線装置。
【請求項４】
請求項３に記載の無線装置において、
前記制御手段は、容量推定値を
【数１】
2007527674.tif 000021
のように計算するように順応され、前記第２の受信機をイネーブルすることは、前記容量推定値に応じている無線装置。
【請求項５】
請求項４に記載の無線装置において、
前記制御手段は更に、重み付けられた容量推定値を、
【数２】
2007527674.tif 000022
のように計算するように順応され、α１とα２とはそれぞれ、ネットワーク容量に対する負荷と、前記無線装置の容量利用度とに対応する重み付けパラメータであり、前記第２の受信機をイネーブルすることは、前記重み付けられた推定値に応じている無線装置。
【請求項６】
請求項２に記載の無線装置において、
前記制御手段は更に、前記容量推定値に応じて前記第２の受信機をディセーブルする無線装置。
【請求項７】
請求項１に記載の無線装置において、
前記第２の推定器は更に、前記無線装置のための合計電力割り当てを推定し、前記無線装置のための推定された合計電力割り当てを基準と比較するように順応され、前記制御手段は、前記比較に応じて、前記第２の受信機をイネーブルする無線装置。
【請求項８】
請求項１に記載の無線装置において、
前記第２の受信機をディセーブルすると初期化されるタイマーを更に備え、
前記タイマーが終了すると、前記制御手段は、前記第２の受信機をイネーブルする無線装置。
【請求項９】
無線装置であって、
プライマリー受信機と、
前記無線装置内のマルチアンテナ受信ダイバーシティに順応された第２の受信機と、
前記第２の受信機に接続され、前記第２の受信機をイネーブル及びディセーブルするように順応されたダイバーシティ・コントローラとを備え、前記ダイバーシティ・コントローラは、
前記無線装置のパラメータを推定する第１の推定部と、
ネットワークのパラメータを推定する第２の推定部と、
前記推定されたパラメータに応じて、前記第２の受信機をイネーブルする制御手段とを備えた無線装置。
【請求項１０】
請求項９に記載の無線装置において、
前記第１の推定部は、トラッフィックエネルギーを推定するように順応され、
前記第２の推定部は、パイロットエネルギーを推定するように順応され、
前記制御手段は、前記推定されたトラフィックエネルギー対前記推定されたパイロットエネルギーの比に応じて、前記第２の受信機をイネーブルするように順応される無線装置。
【請求項１１】
請求項１０に記載の無線装置において
前記推定されたトラフィックエネルギー対前記推定されたパイロットエネルギーの比は、電力制御ビット（ＰＣＢ：Power Control Bits）からの推定値に基づいて計算される無線装置。
【請求項１２】
請求項１１に記載の無線装置において、
前記推定されたトラフィックエネルギー対前記推定されたパイロットエネルギーの比は、順方向リンク上の電力制御サブチャネルから推定される無線装置。
【請求項１３】
請求項１２に記載の無線装置において、
前記第１の推定部は、前記電力制御サブチャネルの電力制御ビット大きさを推定し、平均大きさを、等価のエネルギー大きさにスケールする無線装置。
【請求項１４】
請求項９に記載の無線装置において、
前記第１の推定部は、ノイズエネルギーを推定するように順応され、
前記第２の推定部は、パイロットエネルギーを推定するように順応され、
前記制御手段は、前記推定されたノイズエネルギー対前記推定されたパイロットエネルギーの比に応じて、前記第２の受信機をイネーブルするように順応された無線装置。
【請求項１５】
請求項１４に記載の無線装置において、
前記制御手段は更に、前記推定されたノイズエネルギー対前記推定されたパイロットエネルギーのスケール比に応じて、前記第２の受信機をイネーブルする無線装置。
【請求項１６】
請求項１５に記載の無線装置において、
スケールファクタは、トラフィック・チャネルのデータレートに一致する無線装置。
【請求項１７】
請求項１６に記載の無線装置において、
スケールファクタは、電力制御外部ループからの設定点に一致する無線装置。
【請求項１８】
請求項９に記載の無線装置において、
前記第１の推定部は、トラッフィック・チャネルのフレーム誤り率を計算するように順応された無線装置。
【請求項１９】
請求項９に記載の無線装置において、前記ダイバーシティ・コントローラは更に、
トラフィックエネルギー対パイロットエネルギーの比を推定し、
ソフトハンドオフ中のセクタ数を前記比に乗じて、調節された比を生成し、
前記調節された比を、第１の時定数を用いてフィルタして、分子を生成し、
第２の時定数を用いて、ソフトハンドオフ中のセクタ数をフィルタして分母を生成し、
前記分母で前記分子を割ったインジケータを生成し、
前記インジケータを用いて、前記第２の受信機を制御するように順応された無線装置。
【請求項２０】
請求項９に記載の無線装置において、前記ダイバーシティ・コントローラは更に、
ノイズエネルギー対パイロットエネルギーの比を推定し、
ソフトハンドオフ中のセクタ数を前記比に乗じて、調節された比を生成し、
前記調節された比を、第１の時定数を用いてフィルタして、分子を生成し、
第２の時定数を用いて、ソフトハンドオフ中のセクタ数をフィルタして分母を生成し、
前記分母で前記分子を割ったインジケータを生成し、
前記インジケータを用いて、前記第２の受信機を制御するように順応された無線装置。
【発明の詳細な説明】
【技術分野】
【０００１】
本発明は、無線通信に関し、更に詳しくは、無線通信システムにおけるマルチアンテナ受信ダイバーシティに関する。
【背景技術】
【０００２】
モバイルマルチアンテナ受信ダイバーシティは、無線通信デバイスにおける多数の受信機の使用を称している。異なるアンテナは、個々の受信機に入力を提供する。これによって、通信リンクにダイバーシティを提供する。ダイバーシティは、呼及びデータの送信品質を改善し、更にネットワーク容量を増加させる。各マルチパスが、各アンテナにおいて異なって見えるように、マルチアンテナは、空間ダイバーシティを提供する。したがって、マルチパスフェージングの効果は、受信機間で強くは相関していない。マルチ受信機チェーンの出力は、復号に先立って、シンボルのよりよい推定を提供するために結合される。当該技術において周知の結合方法は、限定される訳ではないが、最小平均二乗誤差（ＭＭＳＥ：Minimum Mean Squared Error）結合、最大比結合（maximal-ratio combining）、等化利得結合（equal-gain combining）、及び選択結合（selection combining）を含む。モバイル受信ダイバーシティの主な欠点は、特にチェーンのアナログ成分、及び無線周波数（ＲＦ）において、受信機チェーンがそれぞれ電力を消費するということである。
【０００３】
研究は、マルチアンテナ受信ダイバーシティが、順方向リンク容量を著しく増加させることを示した。この容量増加は、より高いスループット、より低い基地局送信電力、より低いフレーム誤り率（ＦＥＲ）、又はこれらの組合せとして利用されうる。マルチアンテナ受信ダイバーシティの１つの欠点は、そのような受信機を実現し動作させる電力費用である。マルチアンテナ受信ダイバーシティの利点は、必ずしも利用されるとは限らないかもしれないし、あるいは必要ではないかもしれない。
【０００４】
したがって、受信ダイバーシティがいつ使用され、いつ使用されないかを制御するニーズがある。より大きなリンク容量、より高いスループット、より低い送信電力、より低い誤り率などの利点が必要とされる場合に、モバイルダイバーシティを使用し、これら利点が、より高い電力コストを正当化しない場合に、モバイルダイバーシティを使用しない方法及び装置の制御に対するニーズが当該技術において存在する。更に、無線通信デバイス内の多数のマルチアンテナ受信ダイバーシティと電力消費との間のトレードオフを最適化するために、ダイバーシティを制御する必要がある。
【発明の開示】
【０００５】
本特許出願は、２００４年３月５日に出願され、「METHOD AND APPARATUS FOR RECEIVER DIVERSITY CONTROL IN WIRELESS COMMUNICATIONS」と題された仮出願６０／５５，７５６号、及び２００４年６月２８日に出願され、「METHOD AND APPARATUS FOR RECEIVER DIVERSITY CONTROL IN WIRELESS COMMUNICATIONS」と題された仮出願６０／５８３，９０２号に対する優先権を主張する。これらは、本譲受人に譲渡され、参照によって明らかにここに組込まれている。
【０００６】
モバイルデバイスは、マルチアンテナ受信ダイバーシティを実現するために、少なくとも２つの受信機を持つ受信機ユニットを含む。受信機を制御するために接続された制御ユニットは、基地局における合計送信電力容量のうちのモバイルのトラフィック・チャネルによる利用量を、モバイルにおいて推定する。モバイルは、電力容量利用に基づいて、モバイルデバイスにおけるマルチアンテナ受信ダイバーシティの利用を制御する。１つの実施例では、モバイルは、ネットワークがモバイルに送信している電力量を、パイロットのような基準に関して推定する。他の実施例では、モバイルデバイスにおけるマルチアンテナ受信ダイバーシティの利用を制御するために、モバイルとネットワークとの間のトラフィック・チャネルの品質、容量制限リソース、無線システムにおけるソフトハンドオフ中のセクタ数等に基づくインジケータが使用される。
【発明を実施するための最良の形態】
【０００７】
図１は、マルチアンテナ受信ダイバーシティが使用されうる無線通信ネットワーク１００の一例である。モバイル又は固定式でありうる移動局（ＭＳ）１１０は、１つ以上の基地局（ＢＳ）１２０と通信しうる。ここで「モバイル」と称する移動局１１０は、基地局コントローラ（ＢＳＣ）１３０に接続された１つ以上のＢＳ１２０を経由して、音声、データ、又はその両方を送受信する。ＢＳ１２０及びＢＳＣ１３０は、アクセス・ネットワーク（ＡＮ）と呼ばれるネットワークの一部である。ＢＳＣ１３０は、様々な回路技術のうちの何れかを含みうるワイヤーライン・ネットワーク１４０に接続する。アクセス・ネットワークは、ＢＳ１２０およびＢＳ１２０間に、音声またはデータを伝送する。アクセス・ネットワークは、ワイヤーライン・ネットワーク１４０の一部を構成するインターネット、企業イントラネット、あるいは有線電話システムのようなアクセス・ネットワーク外部の追加ネットワークに更に接続されうる。アクセス・ネットワークは、各アクセス・モバイル１１０と、そのような外部ネットワークとの間に音声およびデータを伝送する。１つ以上の基地局１２０とのアクティブなトラフィック・チャネル接続を確立したモバイル１１０は、アクティブな移動局と呼ばれ、トラフィック状態にあると言われている。１つ以上の基地局１２０とのアクティブなトラフィック・チャネル接続を確立する過程にあるモバイル１１０は、接続設定状態にあると言われている。ＭＳ１１０がＢＳ１２０に信号を送る通信リンクは、逆方向リンク（ＲＬ）１５０と呼ばれる。基地局が移動局へ信号を送る通信リンクは、順方向リンク（ＦＬ）１６０と呼ばれる。
【０００８】
マルチアンテナ受信ダイバーシティは、無線通信システムの順方向リンク容量を著しく増加させうる。マルチアンテナ受信ダイバーシティが間接コストをもたらす一方、本無線システムの動作環境は、単に単一の受信機チェーンを動作させることによって、マルチアンテナ受信ダイバーシティ動作の利益を実現するかもしれない。そのような環境において、マルチアンテナ受信ダイバーシティの利点を利用しながら、低減された電力消費という目的との調和をとるために、モバイル１１０のマルチアンテナ受信ダイバーシティ動作を制御することが望ましい。マルチアンテナ受信ダイバーシティ制御は、ほとんど利点をもたらさない場合にはダイバーシティをオフにして電力を節約し、利点をもたらす場合にはダイバーシティをオンさせるように運転する。
【０００９】
ここに記述された実施例は、必要な場合にはダイバーシティの利点を享受する一方、電力を節約することを目的として、マルチアンテナ受信ダイバーシティの利用を制御する方法及び装置を含む。マルチアンテナ受信ダイバーシティは、多くの基準の中でも、動作条件、送信要件、およびユーザ設定に応じて制御される。ダイバーシティ動作においてスイッチを作動させる具体的な条件は、ここで記述しているように、ＭＳが動作している標準仕様およびプロトコルに依存しうる。
【００１０】
ＭＳマルチアンテナ受信ダイバーシティの制御のためにここに記述された方法は、限定される訳ではないが、符号分割多元接続（ＣＤＭＡ）、周波数分割多元接続（ＦＤＭＡ）、直交周波数分割多重（ＯＦＤＭ）又は時分割多元接続（ＴＤＭＡ）のような様々な多元接続スキームを用いて、任意の無線通信システムに適用可能である。ＣＤＭＡ多元接続スキームの例は、限定される訳ではないが、例えばＴＩＡ／ＥＩＡ／ＩＳ−９５、ＴＩＡ／ＥＩＡ／ＩＳ−２０００又はｃｄｍａ２０００、１ｘＥＶ−ＤＯ、１ｘＥＶ−ＤＶ、およびＷＣＤＭＡのような標準プロトコルをサポートするシステムを含む。ここに記述された実施例は、２以上の運転可能な受信機（すなわち、所定の通信スキームのための移動局における１つの受信機と、１以上のダイバーシティ受信機）を持つ任意の無線システムにおいて使用されうる。
【００１１】
図２は、２つ以上のアンテナと、２つ以上の受信機とを備えた図１中に示すようなモバイル１１０の部分図である。ここでは、具体的な実施例が、２のダイバーシティ次数（ｄｅｇｒｅｅ）に関して記述されている（すなわち、２つのアンテナ、２つの受信機、２つの受信機チェーン）。このような実施例は、明瞭さのために記載されたものであって、ダイバーシティのその他の次数を排除することを意味していない。記載した本発明は、２つより多いアンテナ、２つより多い受信機、あるいは２つより多い受信機チェーンを備えたマルチアンテナ受信ダイバーシティに当てはまる。本開示では、マルチアンテナ受信ダイバーシティがその時使用されていても使用されていなくても、用語「プライマリー受信機」は、受信動作のために使用されている受信機チェーンの部分と同様に、メイン受信機チェーンを示すために使用される。用語「ダイバーシティ受信機」は、マルチアンテナ受信ダイバーシティが動作可能な場合にダイバーシティを提供する追加の受信機、追加の受信機チェーン、あるいは追加の受信機チェーンの一部を示す。したがって、ダイバーシティ次数が２である通信デバイスは、１つのプライマリー受信機と１つのダイバーシティ受信機とを持っている。更に、プライマリー受信機、ダイバーシティ受信機チェーン、ダイバーシティ受信機チェーンの一部は、単一チップに統合されるか、あるいは多数のチップ上に分散されうる。更に、プライマリー受信機、ダイバーシティ受信機チェーン、ダイバーシティ受信機チェーンの一部は、無線デバイスの他の機能と共にチップへ統合されうる。
【００１２】
１つの実施例では、図２に示すように、プライマリー受信機２１０、およびダイバーシティ受信機２２０−２４０は、復調器／結合器２５０に入力を与える。プライマリー受信機２１０は、ＲＦ処理、アナログ、復調、復号、及び任意の組み合わせによるその他の受信機タスクを含むその他の機能および動作と同様、受信機のＲＦアナログ・フロント・エンド部分を含みうる。復調器／結合器２５０は、ダイバーシティ受信機２２０〜２４０の任意又は全てと、プライマリー受信機２１０との出力を結合し、デコーダ２６０へ出力シンボルを提供する。マルチアンテナ受信ダイバーシティがディセーブルされた場合、プライマリー受信機２１０は復調器／結合器に出力を提供し続けることに留意されたい。デコーダ２６０は、シンボルをビットに変換する。このビットは、データシンク／アプリケーション２８０に供給される。ダイバーシティ制御ユニット２７０は、復調器／結合器２５０、又はデコーダ２６０、又はその両方の出力からのインジケータを受信する。ダイバーシティ制御ユニット２７０は、以下に示すその他のインジケータも受信する。図２の実施例中に示すようなダイバーシティ制御ユニット２７０は、シンボルとビットとの両方を用いて、マルチアンテナ受信ダイバーシティをオンするか、オフするかを決定する。更に、ダイバーシティ制御ユニット２７０は、その他様々な動作条件及び設定を、個別に、あるいは組合せて使用する。ダイバーシティ制御ユニット２７０は、ダイバーシティ受信機２２０〜２４０へ制御信号２９５を出力し、それぞれの動作を制御する。制御信号２９５は、単一あるいは複数の信号でありうる。更に、制御信号２９５は、ダイバーシティ受信機２２０〜２４０の各々に対する個別の信号であるか、あるいは全てのダイバーシティ受信機２２０〜２４０に対する共通の信号かもしれない。制御信号２９５はまた、当該技術において周知の様々な技術を用いて多重化、符号化、あるいはフォーマットされうる。
【００１３】
１つの実施例では、ダイバーシティ動作の期間を導入するためにタイマーまたはクロック２７２が使用されうる。タイマー２７２は、ダイバーシティ制御がイネーブルされた時に起動し、予め定めた期間、又は動的に決定された期間継続し、その後、ダイバーシティ制御はディセーブルされる。ダイバーシティ制御処理の最適化のために、タイマーが導入されて、ダイバーシティ制御が追跡されることに注意されたい。そのような方法で、タイマー２７２は、ダイバーシティ制御ユニット２７０が、ダイバーシティ制御動作のシナリオを格納することを可能にする。これによって、ダイバーシティ制御ユニット２７０は、将来の動作を予測することが可能となる。例えば、タイミング情報は、ダイバーシティ制御ユニット２７０が、期間を調節することを可能にしうる。この期間のあと、ダイバーシティがディセーブルされる。
【００１４】
１つの実施例では、ダイバーシティ制御ユニット２７０は、ネットワーク容量推定器２７４と称されている第一の推定器と、容量利用度推定器２７６と称されている第二の推定器とを含む。ダイバーシティ制御ユニット２７０は更に、第一及び第二の推定器２７４，２７６それぞれに応じて、例えばダイバーシティ受信機２２０，２３０，２４０のような少なくとも一つのダイバーシティ受信機の動作を制御する制御手段２７８を含んでいる。１つの実施例は、図４に詳述された負荷推定器５００を含んでいる。推定器５００は、ネットワークの負荷条件に関して、所定の移動局によって使用される容量を表示する。そのような推定は、ＭＲＤ制御決定を行うために使用される。
【００１５】
代替実施例は、限定される訳ではないが、ネットワーク及び／又は無線装置（例えばＭＳ１１０）のパラメータを含む種々の動作パラメータのうちの何れかを推定するために、多かれ少なかれ推定器を適用する。
【００１６】
（マルチアンテナ受信ダイバーシティ考慮の概観）  
ここに記載した技術は、マルチアンテナ受信ダイバーシティをオンすべきかオフすべきかを決定するために、１つ以上のインジケータを使用する。図３は、マルチアンテナ受信ダイバーシティ考慮を図示するハイレベル・ブロック図である。マルチアンテナ受信ダイバーシティ制御３００は、ネットワーク容量インジケータ３１０からの１以上のインジケータ、品質（例えば、ユーザ経験）インジケータ３２０、及び／又はモバイルバッテリー・レベルインジケータ３３０を受信する。いくつかの実施例では、ネットワーク容量インジケータ３１０は、マルチアンテナ受信ダイバーシティの利用を制御するために使用される。いくつかの実施例では、ユーザ経験とも称される品質インジケータ３２０が、マルチアンテナ受信ダイバーシティの利用を制御するために使用される。いくつかの実施例では、例えばモバイルバッテリー・レベルインジケータ３３０のような他の考慮が使用され、別の実施例では、品質、ネットワーク容量、モバイルにおけるバッテリー・レベル、及びその他のインジケータからなる様々な組み合わせが使用されてもよい。
【００１７】
一般に、マルチアンテナ受信ダイバーシティを適用するべきかどうか判定する際に、２つのネットワーク容量パラメータが考慮される。１つのパラメータは、ネットワークによって割り付けられたリソース合計量を特定し、別のパラメータは、モバイルのネットワークリソースの利用度を特定する。ネットワークが、ネットワークリソース（例えば、送信電力）に対する高い負荷を経験していない場合、このネットワークは、より多くの電力をユーザに割り付けるリソースを持っている。その結果、本システムは、マルチアンテナ受信ダイバーシティをオフすることを決定しうる。第２のネットワーク容量考慮として、モバイルが、利用可能な容量の大部分を使用している場合、モバイルは、マルチアンテナ受信ダイバーシティをオンしうる。モバイルが、ネットワーク利用可能な容量の少量しか使用していない場合、本システムは、マルチアンテナ受信ダイバーシティをオフすることを決定しうる。無線システムの１つの実施例では、音声を送信すると、マルチアンテナ受信ダイバーシティを制御するために、ネットワークリソースのモバイル利用度と、ネットワークリソース負荷との両方が使用される。したがって、モバイルがネットワーク容量の大部分を使用している場合、本システムは、マルチアンテナ受信ダイバーシティを利用することにより利益を得る場合がある。
【００１８】
（マルチアンテナ受信ダイバーシティを制御するためのネットワーク容量インジケータ）  
１つの実施例では、モバイルが、ネットワークリソースにおける負荷量を推定する。ネットワーク容量に対する負荷の推定値は、次のように表現されうる。
【数１】
2007527674.tif 000003
【００１９】
ここで、ＩＯＲは、例えばＢＳ１２０のような基地局から送信している全チャネルについて、所定の基地局から送信されたチップ毎の合計エネルギーを表す。また、この合計は、パイロットチャネル、全てのトラフィック・チャネル等からのエネルギーの合計である。ＥＣＰは、パイロットチャネルのチップ毎のエネルギーを表わす。またＭＳ１１０は、モバイルによる容量利用度を推定する。ＭＳ１１０による容量利用度の推定、つまり、所定の移動局に向けられた送信電力成分は、次のように表現されうる。
【数２】
2007527674.tif 000004
【００２０】
ここで、ＩＯＲは、基地局から送信している全チャネルについて送信されたチップ毎の合計エネルギーを表す。そして、ＥＣＴは、所定の移動局に対するトラフィック・チャネルのチップ毎のエネルギーを表わす。移動局による容量利用度と、ネットワーク容量に対する負荷との両方を評価するために、移動局は、
【数３】
2007527674.tif 000005
【００２１】
を推定する。１つの実施例では、モバイルは、推定値の各々に重み付けて
【数４】
2007527674.tif 000006
【００２２】
を得る。ここでα１は、ネットワーク容量に対する負荷の推定のための重み付けパラメータを表わし、α２は、モバイルによる容量利用度に対する重み付けパラメータを表わす。この式は、デシベル表現で再び示される。これら重み付けパラメータα１，α２を生成するために、様々な数的指標が適用されうる。これら重み付けパラメータは、システム設計、優先度、及び／又はシステムの運転と整合をとって調節されうる。１つの実施例では、両方の推定値が等しく重み付けられ（すなわち、α１＝α２）て、
【数５】
2007527674.tif 000007
【００２３】
が得られる。トラフィック対パイロット電力比の推定（つまり、ＥＣＴ／ＥＣＰの推定）は、以下に詳述するように、図４中に示される。ＩＯＲ／ＥＣＰの大きな値は、大きなネットワーク負荷を示す。つまり、それぞれがトラフィック・チャネル容量ＥＣＴを持つ多くの移動局は、より大きなＩＯＲに寄与し、ＥＣＴ／ＩＯＲの大きな値は、所定のモバイルが容量の大部分を消費していることを示す。もしもネットワーク負荷が軽くない、すなわち、ＩＯＲ／ＥＣＰが小さく、所定のモバイル局が、容量の大部分を消費することが問題にならないのであれば、移動局が、容量の大部分を消費している場合、つまりＥＣＴ／ＩＯＲが大きい場合に、ダイバーシティをイネーブルするために、マルチアンテナ受信ダイバーシティ制御メカニズムを使用する要求がある。図４に関して詳述するように、負荷条件を評価する便利な方法は、以下のように数的指標を結合することである。
【数６】
2007527674.tif 000008
【００２４】
１つの実施例は、順方向電力利用度の推定を組み込む。この実施例では、モバイルは、ＭＳ１１０に向けられた順方向リンク・データ・チャネルに割り付けられた電力の大きさを推定する。順方向リンク電力の推定は、順方向リンク合計電力と関連しうる。これは、例えば本例ではＭＳ１１０のように、具体的な移動局に割り付けられた電力のみを考慮するか、他の移動局に対する電力の測定値を含みうる。この電力計算は、周知の基準信号と関連しうる。ダイバーシティ制御アルゴリズムは、数的指標が、所定の閾値を超えた場合にダイバーシティをオンし、数的指標が、所定の閾値よりも下がった場合にオフする。
【００２５】
１つの実施例では、本システムは、トラフィックエネルギー対パイロットエネルギーの比の推定値を計算する。トラフィックエネルギー対パイロットエネルギー比は、基準、すなわちパイロット（ＥＣＰ）に対して、ネットワークがモバイルに送信している電力（ＥＣＴ）を測定する。一般に、トラフィックエネルギー対パイロットエネルギー比は、モバイルにおいて、ネットワークがモバイルに割り付けている電力を推定する。１つの実施例では、トラッフィックエネルギー対パイロットエネルギー比は、電力制御ビット（ＰＣＢ：Power Control Bits）からの推定値に基づいて計算される。電力制御順方向リンクから測定されるトラッフィック対パイロット・エネルギー比は、
【数７】
2007527674.tif 000009
【００２６】
のように表される。ここで、ＥＣＴは、所定の移動局のトラッフィックに対するチップ当たりのエネルギーの推定値である。ＥＣＰは、パイロットチャネルのチップ当たりのエネルギーの推定値である。
【００２７】
１つの実施例では、トラッフィック対パイロットエネルギー比は、順方向リンク上の電力制御サブチャネルから推定される。この電力制御ビットは、ノイズに埋もれないので、この推定のためにふさわしい。電力制御ビットの大きさは、標準的な技術（例えば、ＣＤＭＡにおける逆拡散及び収集）によって推定される。トラッフィック・チャネル・フレーム当たり１６の電力制御ビットを持つシステム（例えば、ｃｄｍａ２０００）では、トラフィック対パイロット・エネルギー比は、以下に示すような合計として推定されうる。
【数８】
2007527674.tif 000010
【００２８】
１つの実施例では、１６の電力制御ビットからのサンプルが、２０ミリ秒毎に取得され、推定値の合計が得られる。
【００２９】
図４は、図２のダイバーシティ・コントローラ２７０内に含まれる少なくとも１つの推定器５００の１つの実施例を例示するブロック図である。推定器５００への入力は、復調器／結合器２５０から来る。推定器５００は、トラフィックエネルギー対パイロットエネルギー比を推定する。１つの実施例では、ＭＳ又はモバイルデバイス内のデジタル信号プロセッサから抽出された重み付けされたパイロットの大きさが、トラッフィック・エネルギー対パイロット・エネルギー比を推定するために使用される。重み付けられたパイロットの大きさは、パンクチャされた順方向電力制御サブチャネルの平均大きさであって、エネルギーではない。重み付けられたトラッフィック・ビットの大きさ（ＥＢＴ）は、レジスター内に蓄積される（５１０）。また、重み付けられたパイロット大きさ（ＥＣＰ）は、２０ミリ秒フレーム毎にレジスター内に蓄積される（５１５）。重み付けられたトラッフィック・ビットの大きさは、電力制御ビット（ＰＣＢ）大きさを、等価な順方向制御チャンネル（ＦＣＨ）、ＥＣＴに変換するために再スケールされる。言いかえれば、ビット・スケール５１２は、ビット大きさＥＢＴを、ＥＣＴと同じ単位に変換する。このスケーリングは、ＰＣＢ長さ（例えばｃｄｍａ２０００で１２８のチップ）、ＦＣＨと電力制御サブチャネルのチップエネルギーとの比からなる。図４に示すように、１６ビット整数ＥＢＴは、３２ビットＱ１２整数へ変換するために乗算器５２０へ入力される。１６ビット整数ＥＣＰは、比を計算する場合に、ゼロによって割られることを避けるために、１とともに加算器５３０へ入力される。パイロットに対するＦＣＨの比は、除算回路５４０において、スケール値から生成され、ブロック５５０において、１６ビット無符号Ｑ１２整数に変換される。この値は、計算ユニット５６０において自乗され、３２ビット無符号Ｑ２４整数として電力比が生成される。３２ビット無符号Ｑ２４整数表示は、−７２ｄＢから＋２４ｄＢまでＥＣＴ／ＥＣＰ比をサポートする。しかしながら、分解能は、その範囲の下端において低減するかもしれない。
【００３０】
別の実施例では、マルチアンテナ受信ダイバーシティをオンするかオフするかを決定するための少なくとも部分的なインジケータとして、本システムは、トラフィックエネルギー対パイロットエネルギー比の別の推定値を計算する。この実施例では、本システムが、ノイズエネルギー対パイロットエネルギーの比を推定する。１つの実施では、ノイズエネルギー対パイロットエネルギーの推定比は、定数Ｔ＿ｆｉｘｅｄが乗じられる。この実施例の場合、インジケータは次のように表現されうる。
【数９】
2007527674.tif 000011
【００３１】
ここで、ＮＴは、チップ毎の受信ノイズの推定値である。ＥＣＰは、パイロットのチップ当たりのエネルギーの推定値である。Ｔ＿ｆｉｘｅｄは定数である。値Ｔ＿ｆｉｘｅｄは、この比をスケールし、任意の予め定めた定数を含みうる。１つの実施例では、Ｔ＿ｆｉｘｅｄは、トラッフィック・チャネルのデータレートに基づいたスケールを含む。１つの実施では、Ｔ＿ｆｉｘｅｄは、
【数１０】
2007527674.tif 000012
【００３２】
の値に設定される。
【００３３】
ｃｄｍａ２０００のような多くの無線規格は、増加したネットワーク容量のために準備している一方、変化する動作条件の下、目標性能基準を満足するために、電力制御を使用して、モバイルと基地局との送信電力を変調する。ノイズエネルギー対パイロットエネルギーの比を推定する別の実施では、モバイルが、高速順方向電力制御設定点の推定値を計算する。この実施例では、次のようにインジケータが表現されうる。
【数１１】
2007527674.tif 000013
【００３４】
ここで、
【数１２】
2007527674.tif 000014
【００３５】
によって推定されるＴ＿ａｄａｐｔは、高速順方向電力制御設定点の信号対ノイズ比に対する目標値を表わす。１つの実施例では、Ｔ＿ａｄａｐｔは、特定のＦＥＲのための電力制御外部ループから推定される。外部ループ電力制御設定点は、一般に、ノイズエネルギー毎のビットあたりのエネルギーＥｂ／Νｏとして与えられる。Ｅｂ／Νｏは、ＦＥＲ要求を満たすために受信機において目標を提供する。順方向リンク電力制御設定点の大きな値は、内部電力制御ループから目標ＦＥＲを達成するために、モバイルが、より高いＥｂ／Νｏを必要としていることを示す。そのような場合、モバイルは、マルチアンテナ受信ダイバーシティから利益を得るかもしれない。なぜなら、受信チェーンを２以上を組み合わせることによって、受信機において必要とされる信号対ノイズ比（ＳＮＲ）の大きさを低減するからである。
【００３６】
ノイズ対パイロットのスケール比は、ネットワークから受信するためにモバイルが計算するトラフィック電力のモバイルによる推定値である。したがって、ノイズエネルギー対パイロットエネルギーの比は、モバイルが、ネットワークからの電力のごく一部であるか、あるいは大部分を必要としているかを判定する。モバイルが、ネットワークからの順方向リンク電力割り当ての大部分を必要としないのであれば、モバイルは、マルチアンテナ受信ダイバーシティをオンしないことを決定するかもしれない。従って、ノイズエネルギー対パイロットエネルギーのスケール比は、順方向電力制御内部ループが収束したとの仮定に基づいて、マルチアンテナ受信ダイバーシティをオンするか、あるいはオフするためのインジケータとして使用されうる。
【００３７】
別の実施例では、マルチアンテナ受信ダイバーシティをオンするか、オフするかを決定するために、追加のエネルギー数的指標が生成され分析される。図５は、マルチアンテナ受信ダイバーシティを制御するために使用される一つのエネルギー数値指標の生成を例示するブロック図である。この実施例では、フレームが復号される。また、ビットは２０ミリ秒の間抽出される。このビットは、入力シンボルの系列のデジタル表示である。図５の実施例では、ビットは、シンボル・デコーダ６００内で復号される。その後、ビットは、シンボル・エンコーダ６１０によってフレームへ再符号化される。フレームが適切に復号されたと仮定した場合、再符号化されたフレームからの信号は、ノイズのない信号を表している。この再符号化されたビットは、シンボル比較ユニット６２０において、オリジナルの受信シンボルと相関付けられ、エネルギー数的指標推定値が提供される。開始信号と終了信号との間の相違は、チャネル品質を示す。例えば、開始信号と終了信号との間の大きな相違は、貧弱なチャネル品質を示す。反対に、信号間の小さな相違は、良好な信号品質を示す。
【００３８】
シンボル比較は、シンボル毎のエネルギーの推定値を生み出す。シンボル毎のエネルギー推定値は、チップ毎のエネルギーＥＣＴに比例する。シンボル毎のエネルギーが重み付けられて、チップ毎のエネルギーの推定値が生成される。閾値／制御ユニット６３０では、マルチアンテナ受信ダイバーシティをオン又はオフする少なくとも部分的なインジケータを生成するために、ＥＣＴ推定値に閾値が適用される。
【００３９】
１つの実施例では、ブロック６００、６１０および６２０は、図２中に図示されたデコーダ２６０内に形成される。代替実施例は、同じ機能を実施するために、移動局かモバイルデバイス内に、そのようなブロックを形成しうる。１つの実施例では、閾値／制御ユニット６３０は、ダイバーシティ制御ユニット２７０内に形成される。代替実施例では、代替構成を適用しうる。
【００４０】
（マルチアンテナ受信ダイバーシティ制御のためのソフトハンドオフセクタインジケータ）  
別の実施例では、本システムは、マルチアンテナ受信ダイバーシティをオンするかオフするかを決定するためのインジケータとして、ソフトハンドオフ中のセクタ数を測定する。一般に、ソフトハンドオフ中で使用されるセクタ数が多いことは、ネットワークリソースを多く使用していることを示す。次に、モバイルに割り付けられたネットワークリソースの量が、マルチアンテナ受信ダイバーシティをオンするかオフするかを決定するために使用されうる。このインジケータは次のように計算されうる。
【数１３】
2007527674.tif 000015
【００４１】
ここで、Ｎは、ソフトハンドオフ中のセクタ数を表わす。
【数１４】
2007527674.tif 000016
【００４２】
は、トラフィックエネルギー対パイロットエネルギー比の推定値を表わす。Ｆ１は、トラフィック対パイロット比が重み付けられたソフトハンドオフ
【数１５】
2007527674.tif 000017
【００４３】
をフィルタするフィルタである。Ｆ２は、長期の平均ソフト・ハンドオフ・サイズを得るために、ソフトハンドオフ中のセクタ数をフィルタするフィルタである。一般に、Ｆ２はＦ１より長い時定数を持っている。
【００４４】
別の実施例では、インジケータは次のように計算される。
【数１６】
2007527674.tif 000018
【００４５】
ここで、Ｎは、ソフトハンドオフ中のセクタ数を表わす。
【数１７】
2007527674.tif 000019
【００４６】
は、変数Ｔ＿ａｄａｐｔ及びＮが乗じられたノイズエネルギー対パイロットエネルギーの推定比を表わす。Ｆ１は、トラフィック対パイロット比が重み付けられたソフトハンドオフ
【数１８】
2007527674.tif 000020
【００４７】
をフィルタするフィルタである。Ｆ２は、長期の平均ソフト・ハンドオフ・サイズを得るために、ソフトハンドオフ中のセクタ数をフィルタするフィルタである。１つの実施例では、フィルタリングは、図２に示されるダイバーシティ制御ユニット２７０によって行なわれる。例えばＩＳ−９５又はｃｄｍａ２０００をサポートするようなＣＤＭＡシステムでは、セクタ数が、ハンドオフ情報メッセージ内の移動局へ直接伝えられることを注意されたい。アクティブセット内の各セクタは、移動局へ送信している。移動局は、このハンドオフ情報を使用して、様々な信号を受信する。
【００４８】
（マルチアンテナ受信ダイバーシティのためのインジケータとしてのネットワーク容量制限）  
マルチアンテナ受信ダイバーシティの１つの利点は、それが順方向リンク電力を低減することである。しかしながら、ある点では、システムにおける変調自由度によって課される制限によって、順方向リンク電力の更なる低減が、システムの容量及び品質の増加にはならない。一般に、１秒毎の自由度は、システムが毎秒送信しうる直交信号あるいは主成分の数を測定する。ｃｄｍａ２０００では、チャネルの自由度は、Ｗａｌｓｈコードの割り当てに基づく。同様に、これらの技術は、直交主成分リソースをユーザへ割り当てる他のシステム（例えば、広帯域ＣＤＭＡ（ＷＣＤＭＡ）のための直交可変拡散コード）にも当てはまる。
【００４９】
本システムが、モバイルに直交主成分を割り付けるためにリソースを使用している場合（例えば、Ｗａｌｓｈコード）、直交主成分利用は、システム容量の限界かもしれない。１つの実施例では、本システムは、マルチアンテナ受信ダイバーシティをオフする閾値を決定するために、直交主成分の適用を利用する。例えば、ｃｄｍａ２０００では、ネットワークＷａｌｓｈリソース・プールから割り付けられたＷａｌｓｈリソースの成分が、ネットワーク電力源から割り付けられたトラフィック・エネルギーＥＣＴの成分を超える場合に、マルチアンテナ受信ダイバーシティがオフされる。したがって、この実施例でＷａｌｓｈ利用は、マルチアンテナ受信ダイバーシティをオフするための最小順方向リンク電力の目標閾値を調節するために使用される。
【００５０】
（マルチアンテナ受信ダイバーシティを制御するための品質インジケータ）  
いくつかの実施例では、マルチアンテナ受信ダイバーシティ制御の利用は、モバイルと、１つ以上の基地局との間のトラフィック接続の品質に基づく。
【００５１】
１つの品質インジケータは、順方向リンク・トラフィック・チャネルのＦＥＲである。ある時間ウィンドウ内の閾値を、多くの誤りが通過する場合、マルチアンテナ受信ダイバーシティは、指定された時間の間、あるいはＦＥＲが許容可能な閾値を下回るまでオンされる。このマルチアンテナ受信ダイバーシティの制御は、所望のＦＥＲを達成するために動的に実施されうる。あるいは、ＦＥＲ目標値が固定される。目標ＦＥＲが閾値を越える場合、マルチアンテナ受信ダイバーシティがオンされる。如何なるフィルタリング、平均化、あるいは平滑法も、マルチアンテナ受信ダイバーシティの利用を制御するために実施されて良い。
【００５２】
１つの実施例では、マルチアンテナ受信ダイバーシティの利用は、連続した多くのフレーム誤りに基づく。この実施例の場合、モバイルが、予め定めた数の連続したフレーム誤りを検知すると、マルチアンテナ受信ダイバーシティがオンされる。この予め定めたフレームの数は、本システムによって設定された他の閾値と一致しうる。例えば、本システムが、予め定めた連続数のフレーム（例えば１２フレーム）誤りの後に送信機をオフすると、モバイルは、呼を維持しようとして、１２未満の連続数のフレーム（例えば６フレーム）誤りの後にマルチアンテナ受信ダイバーシティをオンする。あるいは、連続したフレーム誤りを考慮するのではなく、短期的なＦＥＲがインジケータとして使用されてもよい。この場合、入力として個々のフレーム誤りにフィルタが適用され、フィルタ時定数によって与えられる時間にわたってＦＥＲの推定値が提供される。ＦＥＲが閾値を越えれば、マルチアンテナ受信ダイバーシティがオンされる。
【００５３】
マルチアンテナ受信ダイバーシティが、一旦不適当なＦＥＲによってオンされた場合、様々な手段によってオフされる。１つの実施例では、マルチアンテナ受信ダイバーシティは、ある期間継続し、その後、マルチアンテナ受信ダイバーシティはオフされる。代替実施例では、マルチアンテナ受信ダイバーシティは、例えば「オフ閾値」を下回ったＦＥＲのように、所定の基準に基づいてオフされる。各チャネルが、許容可能な異なるＦＥＲを持っているかもしれないので、他のチャネルのためのＦＥＲインジケータの使用は、異なる閾値になるかもしれないことに留意されたい。
【００５４】
いくつかの実施例では、マルチアンテナ受信ダイバーシティの制御は、モバイルと１つ以上の基地局との間の接続の「状態」に基づく。いくつかの実施例では、マルチアンテナ受信ダイバーシティは、モバイルが、基地局とアクセス状態にある場合にオンされる。モバイルが基地局に接続されるまで、マルチアンテナ受信ダイバーシティが適用される。１つの実施では、モバイルは、モバイルが基地局に接続されているかを判定するためにプロトコル状態を使用する。
【００５５】
シンボル誤り率のようなその他の品質インジケータが、マルチアンテナ受信ダイバーシティの利用を制御するために使用されうる。
【００５６】
（マルチアンテナ受信ダイバーシティをオフすること）  
マルチアンテナ受信ダイバーシティがオフされる場合、モバイルにおいて必要とされる順方向リンク電力の量は増加する。マルチアンテナ受信ダイバーシティを突然オフすることは、順方向リンクの品質の低下をもたらすかもしれない。１つの実施例では、サービス品質を維持するために、本システムは、マルチアンテナ受信ダイバーシティをオフする手順を実施する。図６は、マルチアンテナ受信ダイバーシティをオフするための１つの実施例を示すフローチャートである。この実施例の場合、マルチアンテナ受信ダイバーシティをオフする前に、電力制御用の設定点が調節される。具体的には、この制御がマルチアンテナ受信ダイバーシティをオフする場合、モバイル内の電力設定点を上げる（図６のブロック７００及び７１０）。具体的には、オフ決定のために、ブロック７１０において、ＭＳ内の電力制御設定点がインクリメントされる。次に、順方向リンクにおける電力を増やすために、モバイルが、基地局に、制御電力コマンドを送る（図６におけるブロック７２０）。このターンアップ電力コマンドの結果、基地局は、順方向リンク電力を増加し、続いて、マルチアンテナ受信ダイバーシティがオフされる（図６のブロック７３０，７４０）。この方法は、ブロック７３０において、１つのフレームが経過したかどうかをチェックし、経過していれば、ブロック７４０において、マルチアンテナ受信をオフする。モバイルがマルチアンテナ受信ダイバーシティをオフする場合、性能が下がらないように順方向リンク電力のレベルが適切なレベルにあり、設定点がその前の値に戻される。
【００５７】
（マルチアンテナ受信ダイバーシティを適用する手順）  
マルチアンテナ受信ダイバーシティ無線通信システムは、マルチアンテナ受信ダイバーシティをオンするか、又はオフするかを決定するために、任意の１つのインジケータ、あるいは１つ以上のインジケータの組み合せを使用しうる。例えば、１つの実施例では、本システムは、マルチアンテナ受信ダイバーシティをオフするために、（１）ノイズエネルギー対パイロットエネルギーのスケール比、あるいは（２）トラフィックエネルギー対パイロットエネルギーのフィルタ比のうちの小さい方を選択する。各パラメータは、マルチアンテナ受信ダイバーシティをオフするために潜在的に閾値を提供する。例えば、トラッフィックエネルギー対パイロットエネルギーの比は、基地局の観点から、電力割り当てを評価する。ノイズエネルギー対パイロットエネルギーの比によって示されるように、基地局が、順方向リンク電力の減少から本質的に利益を得ない場合、マルチアンテナ受信ダイバーシティを動作させる利点が低減し、マルチアンテナ受信ダイバーシティはオフされる。
【００５８】
図７は、マルチアンテナ受信ダイバーシティの動的制御利用に対する１つの実施例のための状態図を例示する。１つの実施例では、状態機械（state machine）が２０ミリ秒（フレーム）毎にクロックされる。状態機械の動作のための２つの主要な条件は、送信の品質とシステムの容量である。図７に示す状態機械は、順方向トラフィック推定値のみのためのマルチアンテナ受信ダイバーシティ制御の動作を示す。マルチアンテナ受信ダイバーシティは、図７のＲＤ＿ＯＮＣＴ  １１１０、ＲＤ＿ＯＮＱＴ  １１３０、ＲＤ＿ＦＯＮ  １１６０、ＲＤ＿ＯＮ  １１１５の状態でオンである。マルチアンテナ受信ダイバーシティは、残りの以下の状態、すなわちＲＤ＿ＰＯＦＦ  １１２０、ＲＤ−ＦＯＦＦ  １１３５、ＲＤ＿ＯＦＦＴ  １１２５、ＲＤ＿ＥＯＦＦ  １１０５でオフである。
【００５９】
１１０５において、初期状態は、イネーブルオフされたマルチアンテナ受信ダイバーシティ（ＲＤ＿ＥＯＦＦ）と呼ばれる。ネットワーク容量に対するテストが真であれば（つまり、容量数的指標が、マルチアンテナ受信ダイバーシティをオンする閾値よりも大きければ）、遷移矢印「Ａ」で示されるように、状態機械は、容量タイマー状態（ＲＤ＿ＯＮＣＴ）１１１０上のマルチアンテナ受信ダイバーシティに移る。容量タイマー状態１１１０にあるマルチアンテナ受信ダイバーシティでは、マルチアンテナ受信ダイバーシティがオンされ、容量タイマーがセットされる。容量タイマーが終了し、トラッフィック品質に対するテストが真であれば（つまり、品質数的指標が、マルチアンテナ受信ダイバーシティをオンする閾値未満であれば）、（遷移矢印「Ｂ」で示されるように）、状態機械は、状態（ＲＤ＿ＯＮ）１１１５上のマルチアンテナ受信ダイバーシティに移る。
【００６０】
状態１１１５上のマルチアンテナ受信ダイバーシティでは、制御ユニットが、容量閾値をテストする。容量テストと品質テストとの両方が、マルチアンテナ受信ダイバーシティの利用を動機付けないのであれば、状態機械は、ＲＤ＿ＯＮ状態１１１５から、マルチアンテナ受信ダイバーシティオフ（ＲＤ＿ＰＯＦＦ）状態（１１２０）へ移る準備をする（遷移矢印「Ｃ」）。制御ユニットは、ＲＤ＿ＰＯＦＦ状態１１２０にある場合、順方向電力制御設定点を調節する。状態機械は、１つの状態機械周期（例えば、１つのフレーム）の間、ＲＤＪ＿ＯＦＦ状態１１２０を維持する。１つの状態機械周期の後、品質テストが、マルチアンテナ受信ダイバーシティの利用を示さない場合には、状態機械は、ＲＤＪ＿ＯＦＦ状態１１２０から、マルチアンテナ受信ダイバーシティオフタイマー状態（ＲＤ＿ＯＦＦＴ）（１１２５）に遷移する（遷移矢印「Ｄ」）。ＲＤ＿ＯＦＦＴ状態１１２５に入る際に、制御ユニットは、マルチアンテナ受信ダイバーシティをオフし、順方向電力制御設定点を前の値に戻し、タイマーを（例えば、短い時間の間）起動する。
【００６１】
タイマーが終了し、品質テストが、マルチアンテナ受信ダイバーシティの利用を示さないのであれば、状態機械は、ＲＤ＿ＯＦＦＴ状態１１２５から、マルチアンテナ受信ダイバーシティ・イネーブルオフ状態（ＲＤ＿ＥＯＦＦ）１１０５に入る（遷移矢印「Ｅ」）。品質テストが、マルチアンテナ受信ダイバーシティの利用を示すのであれば、状態機械は、ＲＤ＿ＥＯＦＦ状態１１０５、あるいはＲＤ＿ＯＦＦＴ１１２５状態の何れかから、マルチアンテナ受信ダイバーシティを、品質タイマー（ＲＤ＿ＯＮＱＴ）１１３０状態に入れる（遷移矢印「Ｆ」）。このシナリオの下では、制御ユニットは、マルチアンテナ受信ダイバーシティをオンし、比較的長い持続時間の間、品質タイマーを起動する。品質テストが、マルチアンテナ受信ダイバーシティの利用を示す場合、状態機械はまた（ＲＤ＿ＯＮＱＴ状態から）ＲＤ＿ＯＮＱＴ状態１１３０に再び入る（遷移矢印「Ｇ」）。この再び入る条件の場合、品質タイマーはリセットされる。さらに、品質テストが、マルチアンテナ受信ダイバーシティの利用を示す場合には、状態機械は、ＲＤ＿ＰＯＦＦ状態１１２０から、ＲＤ＿ＯＮＱＴ状態１１３０に入る（遷移矢印「Ｈ」）。ＲＤ＿ＰＯＦＦ１１２０状態からＲＤ＿ＯＮＱＴ１１３０状態に入る場合、制御ユニットは品質タイマーを起動し、順方向電力制御設定点を初期値に戻す。マルチアンテナ受信ダイバーシティが、ＲＤ＿ＯＮＣＴ１１１０状態、及びＲＤ＿ＯＮ１１１５状態からオンされる場合には、状態機械はさらにＲＤ＿ＯＮＱＴ状態１１３０に入る（遷移矢印「Ｉ」及び「Ｊ」）。品質テストが、マルチアンテナ受信ダイバーシティの利用を示すのであれば、ＲＤ＿ＯＮＱＴ１１３０状態は、ＲＤ＿ＯＮＣＴ１１１０状態及びＲＤ＿ＯＮ１１１５状態から入ることができる。これらの状態から、制御ユニットは、品質タイマーを起動する。品質タイマーが終了し、品質テストが、マルチアンテナ受信ダイバーシティの利用を示さないのであれば、状態機械は、ＲＤ＿ＯＮＱＴ１１３０状態から、ＲＤ＿ＯＮ１１１５状態に遷移する（遷移矢印「Ｋ」）。
【００６２】
図７に示すように、マルチアンテナ受信ダイバーシティ「オフ」状態からの強制オフコマンドは、ＲＤ＿ＥＯＦＦ１１０５状態、ＲＤ＿ＯＦＦＴ１１２５状態、あるいはＲＤ＿ＰＯＦＦ１１２０状態から、マルチアンテナ受信ダイバーシティ強制オフ（ＲＤ＿ＦＯＦＦ）１１３５状態へ遷移することになる（遷移矢印「Ｌ」、「Ｍ」、及び「Ｎ」）。「オフ」状態からの強制オフ条件の場合、マルチアンテナ受信ダイバーシティはディセーブルされる。モバイルデバイスは、マルチアンテナ受信ダイバーシティについてイネーブルされないか、あるいはハイブリッドモードが受信機リソースを利用しているので、強制オフコマンドが発行される。
【００６３】
図７に示す何れのＲＤ＿ＯＮ状態１１４０でも示されるように、マルチアンテナ受信ダイバーシティが任意の「オン」状態にある場合、状態機械は、オフコマンドに応答して、ＲＤ＿ＰＯＦＦ１１２０状態に推移する（遷移矢印「Ｏ」）。更に、制御ユニットは、マルチアンテナ受信ダイバーシティをオフする前に、順方向電力制御設定点を調節する。リリース強制オフコマンドが発行されると、状態機械は、ＲＤ＿ＦＯＦＦ状態１１３５から、ＲＤ＿ＥＯＦＦ状態１１０５へ遷移する（推移矢印「Ｐ」）。本システムは、強制オンコマンドをも発行する。図７の１１５０に示すように、任意の状態から強制オンコマンドが発行されると、状態機械は、マルチアンテナ受信ダイバーシティ強制オン（ＲＤ＿ＦＯＮ）状態１１６０に遷移する（推移矢印「Ｑ」）。本システムが、リリース強制オンコマンドを発行すると、状態機械は、ＲＤ＿ＦＯＮ状態１１６０からＲＤ＿ＯＮ状態１１１５へ遷移する（遷移矢印「Ｂ」）。
【００６４】
当該技術分野における熟練者であれば、これら情報および信号が、種々異なった技術や技法を用いて表されることを理解するであろう。例えば、上述した記載の全体で引用されているデータ、指示、命令、情報、信号、ビット、シンボル、およびチップは、電圧、電流、電磁波、磁場または磁性粒子、光学場または光学微粒子、あるいはこれら何れかの組み合わせによって表現されうる。
【００６５】
これら熟練者であれば、更に、ここで開示された実施例に関連して記載された様々な説明的論理ブロック、モジュール、回路、およびアルゴリズムステップが、電子工学ハードウェア、コンピュータソフトウェア、あるいはこれらの組み合わせとして実現されることを理解するであろう。ハードウェアとソフトウェアとの相互互換性を明確に説明するために、様々に例示された部品、ブロック、モジュール、回路、およびステップが、それらの機能に関して一般的に記述された。それら機能がハードウェアとして又はソフトウェアとして実現されているかは、特定のアプリケーション及びシステム全体に課せられている設計制約に依存する。熟練した技術者であれば、各特定のアプリケーションに応じて変更した方法で上述した機能を実施しうる。しかしながら、この適用判断は、本発明の範囲から逸脱したものと解釈されるべきではない。
【００６６】
ここで開示された実施例に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００６７】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスター、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００６８】
開示された実施例における上述の記載は、当該技術分野におけるいかなる人であっても、本発明の活用または利用を可能とするように提供される。これらの実施例への様々な変形例もまた、当該技術分野における熟練者に対しては明らかであって、ここで定義された一般的な原理は、本発明の主旨または範囲を逸脱せずに他の実施例にも適用されうる。このように、本発明は、ここで示された実施例に制限されるものではなく、ここで記載された原理と新規の特徴に一致した最も広い範囲に相当するものを意図している。
【図面の簡単な説明】
【００６９】
【図１】図１は、マルチアンテナ受信ダイバーシティが使用される無線通信システムである。
【図２】図２は、マルチアンテナ受信ダイバーシティを持つ移動局である。
【図３】図３は、マルチアンテナ受信ダイバーシティ考慮を図示するハイレベル・ブロック図である。
【図４】図４は、トラフィックエネルギー対パイロットエネルギー比を推定するための１つの実施例を示すブロック図である。
【図５】図５は、マルチアンテナ受信ダイバーシティを制御するために使用される１つのエネルギー数的指標の生成を示すブロック図である。
【図６】図６は、マルチアンテナ受信ダイバーシティをオフするための１つの実施例を示すフローチャートである。
【図７】図７は、マルチアンテナ受信ダイバーシティの利用を動的に制御する１つの実施例のための状態図を示す。
【図１】
2007527674.tif 000023
【図２】
2007527674.tif 000024
【図３】
2007527674.tif 000025
【図４】
2007527674.tif 000026
【図５】
2007527674.tif 000027
【図６】
2007527674.tif 000028
【図７】
2007527674.tif 000029
【国際調査報告】
2007527674.tif 000030
2007527674.tif 000031
2007527674.tif 000032
2007527674.tif 000033
2007527674.tif 000034